(57)【要約】【課題】対比による偽造判別が容易で偽造しにくいホログラム及び偽造防止媒体を提供すること。【解決手段】本発明のホログラム（１Ａ）は、ホログラム層（６Ｘ）により第１図柄（１１）を形成した第１領域（１０）と、ホログラム層（６Ｙ）により第２図柄（２１）を形成した第２領域（２０）とを有し、第１図柄（１１）を形成する第１主要素と、第２図柄（２１）を形成する第２主要素とを同一とし、第１図柄（１１）と第２図柄（２１）とを、対向させて配置し、第１領域（１０）と第２領域（２０）とを反射状態で観察した場合に、第１視点（Ｑ１）から、第１図柄（１１）と第２図柄（２１）とを同時に視認でき、第１領域（１０）と第２領域（２０）とでは、ホログラム層（６Ｘ）、（６Ｙ）の構造を異ならせたことを特徴とする。【選択図】    図１
2018165733.tif 000002
【特許請求の範囲】
【請求項１】
光学的回折層と光反射層とでホログラム層を形成するホログラムであって、
前記ホログラム層により第１図柄を形成した第１領域と、前記ホログラム層により第２図柄を形成した第２領域とを有し、
前記第１図柄を形成する第１主要素と、前記第２図柄を形成する第２主要素とを同一とし、前記第１図柄と前記第２図柄とを対向させて配置し、
前記第１領域と前記第２領域とを反射状態で観察した場合に、第１視点から、前記第１図柄と前記第２図柄とを同時に視認でき、前記第１領域と前記第２領域とでは、前記ホログラム層の構造を異ならせたことを特徴とするホログラム。
【請求項２】
前記第１図柄は奥行き感が有ると視認され、前記第２図柄は奥行き感がないと視認されることを特徴とする請求項１に記載のホログラム。
【請求項３】
前記第１図柄と前記第２図柄とを水鏡画像としたことを特徴とする請求項１又は請求項２に記載のホログラム。
【請求項４】
前記第１図柄と前記第２図柄とを線対称に配置したことを特徴とする請求項１又は請求項２に記載のホログラム。
【請求項５】
前記第１領域と前記第２領域とを隣接させ、前記第１図柄と前記第２図柄とが接していることを特徴とする請求項４に記載のホログラム。
【請求項６】
前記第１図柄は、前記第２図柄に近接する側が幅広に視認され、前記第２図柄は、前記第１図柄に近接する側が幅広に視認されることを特徴とする請求項１から請求項５までのいずれかに記載のホログラム。
【請求項７】
前記第１図柄には第１副要素を、前記第２図柄には第２副要素を有し、
前記第１副要素と前記第２副要素とを異ならせ、前記第１主要素と前記第２主要素とがアウトラインとして視認され、前記第１副要素と前記第２副要素とが彩色として視認されることを特徴とする請求項１から請求項６までのいずれかに記載のホログラム。
【請求項８】
前記第１図柄及び前記第２図柄と異なる第３図柄を、前記第１領域又は前記第２領域に形成したことを特徴とする請求項１から請求項７までのいずれかに記載のホログラム。
【請求項９】
前記第３図柄を前記第１領域に形成し、前記第１図柄及び前記第２図柄と異なる第４図柄を、前記第２領域に形成したことを特徴とする請求項８に記載のホログラム。
【請求項１０】
前記第２図柄と同一の前記ホログラム層による第５図柄を前記第２領域に形成し、前記第１視点からは前記第５図柄は視認できず、
前記第１視点とは異なる第２視点からは、前記第２図柄に代えて前記第５図柄が視認できることを特徴とする請求項１から請求項９までのいずれかに記載のホログラム。
【請求項１１】
請求項１から請求項１０までのいずれかに記載のホログラムを基材に貼付したことを特徴とする偽造防止媒体。
【発明の詳細な説明】
【技術分野】
【０００１】
本発明は、視認によって偽造防止を図ることができるホログラム及び偽造防止媒体に関するものである。
【背景技術】
【０００２】
偽造防止を目的として、従来からホログラムが利用されている（例えば特許文献１〜特許文献３）。
特許文献４では、複数のセキュリティエレメントを設け、これらの複数のセキュリティエレメントを同一モチーフとすることが開示されている。
【先行技術文献】
【特許文献】
【０００３】
【特許文献１】特開２０１７−７１９３号公報
【特許文献２】特開２０１２−２２５９７５号公報
【特許文献３】特開２００７−２４０７８７号公報
【特許文献４】特表２００４−５０８２２６号公報
【発明の概要】
【発明が解決しようとする課題】
【０００４】
しかし、ドットマトリクスマシーンの性能が向上しており、通常のホログラムでは、偽造が比較的容易である。
また、偽造防止効果を高めるためには、複数のセキュリティエレメントを設けることが好ましいが、個々のセキュリティエレメントを視認によって真偽判別することは容易ではない。
その点で、特許文献４で開示しているように、複数のセキュリティエレメントを同一モチーフとすることは有効である。
しかし、特許文献４では、透かし、印刷による付加的エレメント及び浮出し模様をセキュリティエレメントとしており、個々のセキュリティエレメントの印象が異なることから、たとえ同一モチーフであっても、対比による偽造判別は容易ではない。
【０００５】
そこで本発明は、対比による偽造判別が容易で偽造しにくいホログラム及び偽造防止媒体を提供することを目的とする。
【課題を解決するための手段】
【０００６】
請求項１記載の本発明のホログラムは、光学的回折層と光反射層とでホログラム層を形成するホログラムであって、前記ホログラム層により第１図柄を形成した第１領域と、前記ホログラム層により第２図柄を形成した第２領域とを有し、前記第１図柄を形成する第１主要素と、前記第２図柄を形成する第２主要素とを同一とし、前記第１図柄と前記第２図柄とを、対向させて配置し、前記第１領域と前記第２領域とを反射状態で観察した場合に、第１視点から、前記第１図柄と前記第２図柄とを同時に視認でき、前記第１領域と前記第２領域とでは、前記ホログラム層の構造を異ならせたことを特徴とする。
請求項２記載の本発明は、請求項１に記載のホログラムにおいて、前記第１図柄は奥行き感が有ると視認され、前記第２図柄は奥行き感がないと視認されることを特徴とする。
請求項３記載の本発明は、請求項１又は請求項２に記載のホログラムにおいて、前記第１図柄と前記第２図柄とを水鏡画像としたことを特徴とする。
請求項４記載の本発明は、請求項１又は請求項２に記載のホログラムにおいて、前記第１図柄と前記第２図柄とを線対称に配置したことを特徴とする。
請求項５記載の本発明は、請求項４に記載のホログラムにおいて、前記第１領域と前記第２領域とを隣接させ、前記第１図柄と前記第２図柄とが接していることを特徴とする。
請求項６記載の本発明は、請求項１から請求項５までのいずれかに記載のホログラムにおいて、前記第１図柄は、前記第２図柄に近接する側が幅広に視認され、前記第２図柄は、前記第１図柄に近接する側が幅広に視認されることを特徴とする。
請求項７記載の本発明は、請求項１から請求項６までのいずれかに記載のホログラムにおいて、前記第１図柄には第１副要素を、前記第２図柄には第２副要素を有し、前記第１副要素と前記第２副要素とを異ならせ、前記第１主要素と前記第２主要素とが、アウトラインとして視認され、前記第１副要素と前記第２副要素とが、彩色として視認されることを特徴とする。
請求項８記載の本発明は、請求項１から請求項７までのいずれかに記載のホログラムにおいて、前記第１図柄及び前記第２図柄と異なる第３図柄を、前記第１領域又は前記第２領域に形成したことを特徴とする。
請求項９記載の本発明は、請求項８に記載のホログラムにおいて、前記第３図柄を前記第１領域に形成し、前記第１図柄及び前記第２図柄と異なる第４図柄を、前記第２領域に形成したことを特徴とする。
請求項１０記載の本発明は、請求項１から請求項９までのいずれかに記載のホログラムにおいて、前記第２図柄と同一の前記ホログラム層による第５図柄を前記第２領域に形成し、前記第１視点からは前記第５図柄は視認できず、前記第１視点とは異なる第２視点からは、前記第２図柄に代えて前記第５図柄が視認できることを特徴とする。
請求項１１記載の本発明の偽造防止媒体は、請求項１から請求項１０までのいずれかに記載のホログラムを基材に貼付したことを特徴とする。
【発明の効果】
【０００７】
本発明のホログラムによれば、主要素を同一とした第１図柄と第２図柄とを、対向させて配置し、対比によって視認できることで、偽造を判別しやすく、ホログラム層の構造を異ならせることで、偽造しにくくすることができる。
【図面の簡単な説明】
【０００８】
【図１】本発明の第１実施例によるホログラムを示す説明図
【図２】本発明の第２実施例によるホログラムを示す説明図
【図３】本発明の第３実施例によるホログラムを示す説明図
【図４】本発明の第４実施例によるホログラムを示す説明図
【図５】本発明の第５実施例によるホログラムを示す説明図
【図６】本発明の第６実施例によるホログラムを示す説明図
【図７】本発明の第１実施例から第６実施例までによるホログラムを基材に貼付した偽造防止媒体の概念図
【発明を実施するための形態】
【０００９】
本発明の第１の実施の形態によるホログラムは、ホログラム層により第１図柄を形成した第１領域と、ホログラム層により第２図柄を形成した第２領域とを有し、第１図柄を形成する第１主要素と、第２図柄を形成する第２主要素とを同一とし、第１図柄と第２図柄とを、対向させて配置し、第１領域と第２領域とを反射状態で観察した場合に、第１視点から、第１図柄と第２図柄とを同時に視認でき、第１領域と第２領域とでは、ホログラム層の構造を異ならせたものである。本実施の形態によれば、主要素を同一とした第１図柄と第２図柄とを、対向させて配置し、対比によって視認できることで、偽造を判別しやすく、ホログラム層の構造を異ならせることで、偽造しにくくすることができる。
【００１０】
本発明の第２の実施の形態は、第１の実施の形態によるホログラムにおいて、第１図柄は奥行き感が有ると視認され、第２図柄は奥行き感がないと視認されるものである。本実施の形態によれば、ホログラム層の構造を、奥行き感の有無を付けるように異ならせることで偽造しにくくできる。
【００１１】
本発明の第３の実施の形態は、第１又は第２の実施の形態によるホログラムにおいて、第１図柄と第２図柄とを水鏡画像としたものである。本実施の形態によれば、第１図柄と第２図柄がつながって一体として見えることで、大きな一つの図柄として視認できるため、分離した個別の図柄と比較して視認性が高まる。
【００１２】
本発明の第４の実施の形態は、第１又は第２の実施の形態によるホログラムにおいて、第１図柄と第２図柄とを線対称に配置したものである。本実施の形態によれば、対比による偽造判別が更にしやすい。
【００１３】
本発明の第５の実施の形態は、第４の実施の形態によるホログラムであって、第１領域と第２領域とを隣接させ、第１図柄と第２図柄とが接しているものである。本実施の形態によれば、第１図柄と第２図柄がつながって一体として見えることで、大きな一つの図柄として視認できるため、分離した個別の図柄と比較して視認性が高まる。
【００１４】
本発明の第６の実施の形態は、第１から第５までのいずれかの実施の形態によるホログラムであって、第１図柄は、第２図柄に近接する側が幅広に視認され、第２図柄は、第１図柄に近接する側が幅広に視認されるものである。本実施の形態によれば、たとえ第１図柄と第２図柄とがつながっていなくても、一つの固まりとして視認されやすく視認性が高まる。
【００１５】
本発明の第７の実施の形態は、第６の実施の形態によるホログラムであって、第１図柄及び第２図柄が山形状として視認されるものである。本実施の形態によれば、第１図柄と第２図柄との近接する側が最も幅広となるため、一つの固まりとして視認されやすい。
【００１６】
本発明の第８の実施の形態は、第１から第７までのいずれかの実施の形態によるホログラムであって、第１図柄には第１副要素を、第２図柄には第２副要素を有し、第１副要素と第２副要素とを異ならせ、第１主要素と第２主要素とが、アウトラインとして視認され、第１副要素と第２副要素とが、彩色として視認されるものである。本実施の形態によれば、アウトラインが同一であるため一体として視認しやすく、彩色を異ならせることで、偽造しづらくデザイン性に優れている。
【００１７】
本発明の第９の実施の形態は、第１から第８までのいずれかの実施の形態によるホログラムであって、第１図柄及び第２図柄と異なる第３図柄を、第１領域又は第２領域に形成したものである。本実施の形態によれば、第１領域又は第２領域のいずれかに第３図柄を形成してもよく、第３図柄をいずれか一方の領域に形成することで、例えば第１領域と第２領域とに相違があることを積極的に視認させることができる。
【００１８】
本発明の第１０の実施の形態は、第９の実施の形態によるホログラムであって、第３図柄を第１領域に形成し、第１図柄及び第２図柄と異なる第４図柄を、第２領域に形成したものである。本実施の形態によれば、更に第４図柄を形成してもよく、第３図柄を第１領域に、第４図柄を第２領域に形成し、例えば第３図柄と第４図柄を異ならせることで、第１領域と第２領域とに相違があることを更に積極的に視認させることができる。
【００１９】
本発明の第１１の実施の形態は、第１から第１０までのいずれかの実施の形態によるホログラムであって、第２図柄と同一のホログラム層による第５図柄を第２領域に形成し、第１視点からは第５図柄は視認できず、第１視点とは異なる第２視点からは、第２図柄に代えて第５図柄が視認できるものである。本実施の形態によれば、ホログラム層の構造が異なることを更に明確に視認させることができるとともに偽造しにくくすることができる。
【００２０】
本発明の第１２の実施の形態による偽造防止媒体は、第１から第１１までのいずれかの実施の形態によるホログラムを基材に貼付したものである。本実施の形態によれば、偽造防止効果の高い偽造防止媒体とすることができる。
【実施例】
【００２１】
以下本発明の一実施例によるホログラムについて説明する。
図１は第１実施例によるホログラムを示す説明図である。
本実施例によるホログラム（１Ａ）は、第１図柄（１１）を形成した第１領域（１０）と、第２図柄（２１）を形成した第２領域（２０）とを有している。
第１領域（１０）と第２領域（２０）とは隣接させて配置している。
第１領域（１０）は、保護層（２）、光学的回折層（３Ｘ）、光反射層（４Ｘ）及び接着剤層（５）が順に積層され、光学的回折層（３Ｘ）と光反射層（４Ｘ）とでホログラム層（６Ｘ）を形成している。
第２領域（２０）は、保護層（２）、光学的回折層（３Ｙ）、光反射層（４Ｙ）及び接着剤層（５）が順に積層され、光学的回折層（３Ｙ）と光反射層（４Ｙ）とでホログラム層（６Ｙ）を形成している。
ホログラム層（６Ｘ）とホログラム層（６Ｙ）とは、構造を異ならせている。すなわち、光学的回折層（３Ｘ）、（３Ｙ）、及び／又は光反射層（４Ｘ）、（４Ｙ）の構造が異なる。
第１図柄（１１）は、ホログラム層（６Ｘ）により形成されている。第２図柄（２１）は、ホログラム層（６Ｙ）により形成されている。
ホログラム層（６Ｘ）は、例えば陰影が付加されることで立体感を持って視認される構造である。したがって、第１図柄（１１）は、奥行き感が有ると視認される。ホログラム層（６Ｙ）は、ホログラム層（６Ｘ）のように陰影が表現されないことで立体感のない平面的に視認される構造である。したがって、第２図柄（２１）は、奥行き感がないと視認される。
このように、ホログラム層（６Ｘ）、（６Ｙ）の構造を、奥行き感の有無を付けるように異ならせることで偽造しにくくできる。
【００２２】
第１図柄（１１）と第２図柄（２１）とは、対向させて配置している。すなわち、第１図柄（１１）と第２図柄（２１）とは、図柄の向きを反対とし、幅（Ｗ）方向にはずれていない位置に配置している。
第１領域（１０）と第２領域（２０）とは、反射状態で観察した場合に、第１視点（Ｑ１）から、第１図柄（１１）と第２図柄（２１）とを同時に視認できる。
第１図柄（１１）は、第１主要素と第１副要素とから形成されている。第２図柄（２１）は、第２主要素と第２副要素とから形成されている。
ここで、第１主要素及び第２主要素はアウトラインであり、例えば山の輪郭として視認されるものである。
アウトラインである第１主要素と第２主要素とは同一としている。しかし、ホログラム層（６Ｘ）は、陰影が付加される構造であるため、第１主要素として視認されるアウトラインには陰影が付加される。これに対して、ホログラム層（６Ｙ）は、陰影が表現されない構造であるため、第２主要素として視認されるアウトラインには陰影がない。
第１副要素及び第２副要素は、アウトラインの太さとして視認されるものである。アウトラインの太さである第１副要素と第２副要素とは異ならせている。
【００２３】
本実施例では、第１図柄（１１）と第２図柄（２１）とを水鏡画像としている。すなわち、第２図柄（２１）は、第１図柄（１１）が水面に映った状態を視認させる画像である。このように、水鏡画像とした場合には、第１図柄（１１）と第２図柄（２１）とは、幅Ｗ方向の寸法は一致するが、高さ（Ｈ）方向の寸法は必ずしも一致するとは限らない。すなわち、第１図柄（１１）の高さ（Ｈ１）と、第２図柄（２１）の高さ（Ｈ２）とは必ずしも一致しない。このように、水鏡画像にあっては、第１主要素と第２主要素とは、幅（Ｗ）方向に対する高さ（Ｈ）方向の比率が異なる場合がある。
本実施例のように、第１図柄（１１）と第２図柄（２１）とを水鏡画像とした場合には、第１図柄（１１）と第２図柄（２１）とがつながって一体として見えることで、大きな一つの図柄として視認できるため、分離した個別の図柄と比較して視認性が高まる。
また、本実施例では、第１図柄（１１）と第２図柄（２１）とは、山形状として視認されるものとしている。
このように、第１図柄（１１）を、第２図柄（２１）に近接する側が幅広に視認されるものとすることで、第２図柄（２１）は、第１図柄（１１）に近接する側が幅広に視認される。したがって、一つの固まりとして視認されやすく視認性が高まる。
さらに、山形状や、鉄塔、五重塔のように、第１図柄（１１）と第２図柄（２１）との近接する側が最も幅広となる場合には、更に一つの固まりとして視認されやすい。
【００２４】
図２は第２実施例によるホログラムを示す説明図である。
本実施例によるホログラム（１Ｂ）についても、近接させて配置した第１領域（１０）と第２領域（２０）とを有している。また、第１領域（１０）はホログラム層（６Ｘ）を形成し、第２領域（２０）はホログラム層（６Ｙ）を形成し、ホログラム（１Ｂ）は、第１実施例と同様のホログラムである。
また、第１実施例と同様に、第１図柄（１１）と第２図柄（２１）とは、対向させて配置し、反射状態で観察した場合に、第１視点（Ｑ１）から、第１図柄（１１）と第２図柄（２１）とを同時に視認できる。
本実施例では、第１図柄（１１）と第２図柄（２１）とを線対称に配置している。このように、線対称に配置した場合には、対比による偽造判別がしやすい。
なお、第１図柄（１１）を、第２図柄（２１）に近接する側が幅広に視認されるものとすることで、図２に示すように、第１図柄（１１）と第２図柄（２１）とがつながっていなくても、一つの固まりとして視認されやすく視認性が高まる。
【００２５】
図３は第３実施例によるホログラムを示す説明図である。
本実施例によるホログラム（１Ｃ）は、第２実施例と同様に第１図柄（１１）と第２図柄（２１）とを線対称に配置しているが、第１図柄（１１）と第２図柄（２１）とが接している。このように、第１図柄（１１）と第２図柄（２１）とを接して配置することで、第１図柄（１１）と第２図柄（２１）とがつながって一体として見え、大きな一つの図柄として視認できるため、分離した個別の図柄と比較して視認性が高まる。
第１図柄（１１）は、第１主要素と第１副要素とから形成されている。第２図柄（２１）は、第２主要素と第２副要素とから形成されている。
本実施例では、第１主要素と第２主要素とが、アウトラインとして視認され、第１副要素と第２副要素とが、彩色として視認されるものである。
このように、アウトラインを同一とすることで一体として視認しやすく、彩色を異ならせることで、偽造しづらくデザイン性に優れている。
【００２６】
図４は第４実施例によるホログラムを示す説明図である。
本実施例によるホログラム（１Ｄ）は、第１図柄（１１）と第２図柄（２１）とを線対称に配置し、更に第１図柄（１１）と第２図柄（２１）とが接している。ホログラム（１Ｄ）は、第１実施例と同様のホログラムである。
本実施例では、第１図柄（１１）及び第２図柄（２１）と異なる第３図柄（１３）を、第１領域（１０）に形成したものである。第３図柄（１３）は、ホログラム層（６Ｘ）により形成されていることが好ましいが、その他の方法によって形成されたものでもよい。その他の方法として、ホログラム層（６Ｘ）を形成する光反射層（４Ｘ）の一部を除去して光透過性領域を形成し、この光透過性領域に第３図柄（１３）を形成してもよい。また、ホログラム（１Ｄ）を貼付する基材に透かしや模様によって第３図柄（１３）を形成し、光反射層（４Ｘ）の一部を除去した光透過性領域からこの第３図柄（１３）を視認できるようにしてもよい。
本実施例では、第３図柄（１３）を第１領域（１０）に形成したが、第３図柄（１３）は第２領域（２０）に形成してもよい。
本実施例によれば、第３図柄（１３）をいずれか一方の領域に形成することで、例えば第１領域（１０）と第２領域（２０）とに相違があることを積極的に視認させることができる。
【００２７】
図５は第５実施例によるホログラムを示す説明図である。
本実施例によるホログラム（１Ｅ）は、第１図柄（１１）と第２図柄（２１）とを線対称に配置し、更に第１図柄（１１）と第２図柄（２１）とが接している。ホログラム（１Ｅ）は、第１実施例と同様のホログラムである。
本実施例では、第１図柄（１１）及び第２図柄（２１）と異なる第３図柄（１３）を第１領域（１０）に形成し、更に第１図柄（１１）及び第２図柄（２１）と異なる第４図柄（２４）を第２領域（２０）に形成したものである。
第３図柄（１３）については、第４実施例と同様であるため説明を省略する。
第４図柄（２４）は、ホログラム層（６Ｙ）により形成されていることが好ましいが、その他の方法によって形成されたものでもよい。その他の方法として、ホログラム層（６Ｙ）を形成する光反射層（４Ｙ）の一部を除去して光透過性領域を形成し、この光透過性領域に第４図柄（２４）を形成してもよい。また、ホログラム（１Ｅ）を貼付する基材に透かしや模様によって第４図柄（２４）を形成し、光反射層（４Ｙ）の一部を除去した光透過性領域からこの第４図柄（２４）を視認できるようにしてもよい。
第３図柄（１３）と第４図柄（２４）とは、第１図柄（１１）と第２図柄（２１）と同様に、第１主要素と第２主要素とを同一とするものでもよい。また、第３図柄（１３）と第４図柄（２４）とは、異なる透かしや模様としてもよい。
本実施例によれば、第３図柄（１３）を第１領域（１０）に、第４図柄（２４）を第２領域（２０）に形成することで、例えば第１領域（１０）と第２領域（２０）とにホログラム層（６Ｘ）、（６Ｙ）に構造的な相違があることを積極的に視認させることができる。
【００２８】
図６は第６実施例によるホログラムを示す説明図である。図６（ａ）は第１視点から視認した状態、図６（ｂ）は第２視点から視認した状態を示している。
本実施例によるホログラム（１Ｆ）は、第１図柄（１１）と第２図柄（２１）とを線対称に配置し、更に第１図柄（１１）と第２図柄（２１）とが接している。ホログラム（１Ｆ）は、第１実施例と同様のホログラムである。
本実施例では、第２図柄（２１）と同一のホログラム層（６Ｙ）による第５図柄（２５）を第２領域（２０）に形成している。
第１領域（１０）については、図６（ａ）に示すように第１視点（Ｑ１）から視認した状態と、図６（ｂ）に示すように第２視点（Ｑ２）から視認した状態とでは、第１図柄（１１）の主要素は同一であるが、例えば階調表現が異なって視認される。
第２領域（２０）については、図６（ａ）に示すように第１視点（Ｑ１）から視認した状態では、第２図柄（２１）が視認されて第５図柄（２５）は視認できず、図６（ｂ）に示すように第２視点（Ｑ２）から視認した状態では、第２図柄（２１）に代えて第５図柄（２５）が視認できる。
本実施例によれば、ホログラム層（６Ｘ）、（６Ｙ）の構造が異なることを更に明確に視認させることができるとともに偽造しにくくすることができる。
【００２９】
なお、第１実施例から第５実施例までについては、第１視点（Ｑ１）から視認した状態だけを説明したが、第２視点（Ｑ２）から視認した状態では、例えば第６実施例と同様に、第１領域（１０）については、第１図柄（１１）の主要素を同一として階調表現を異ならせて視認され、第２領域（２０）については、第２図柄（２１）に代えて第５図柄（２５）を視認させることができる。
ホログラム層（６Ｘ）には、立体感を持った例えばリップマンホログラムやエンボスホログラムの構造を、ホログラム層（６Ｙ）には、例えばレリーフ型ホログラムやレインボー型ホログラムの構造を用いることができる。
【００３０】
図７は第１実施例から第６実施例までによるホログラムを基材に貼付した偽造防止媒体の概念図である。
偽造防止媒体（３０）は、主に、銀行券、旅券、有価証券、パスポート、株券、商品券、印紙、チケット、紙幣又は証明書である。
偽造防止媒体（３０）として用いる基材（３１）は、印刷可能な材料であり、紙やプラスチックシートが用いられる。基材（３１）は、紙やプラスチックシートを単体で用いたものでもよいが、紙とプラスチックシートとの積層体でもよく、また紙の少なくとも一面をコーティングしたものでもよい。
特に、基材（３１）が紙である場合には、基材（３１）にホログラム（１）を貼付する。
図７（ａ）では、パッチ型のホログラム（１）を、基材（３１）に貼付した状態を示している。パッチ型のホログラム（１）は、基材（３１）の少なくとも一方の面に貼付され、基材（３１）の辺から所定の距離を離した位置に貼付される。
図７（ｂ）では、ストライプ型のホログラム（１）を、基材（３１）に貼付した状態を示している。ストライプ型のホログラム（１）は、基材（３１）の少なくとも一方の面に貼付され、基材（３１）の一対の対向する辺の間に、一方の辺から他方の辺にわたって貼付される。
図７では、表示を省略しているが、基材（３１）には、料額、文字及び模様が印刷され、すき入れで付与した画像や凹版印刷で付与した凹版画線による画像を、ホログラム（１）とは別の偽造防止部として設けてもよい。
本実施例によれば、偽造防止効果の高い偽造防止媒体（３０）とすることができる。
【産業上の利用可能性】
【００３１】
本発明によるホログラムは、視認によって偽造防止を図ることができるが、機械読み取りによる自動判別を行うこともできる。
【符号の説明】
【００３２】
１、１Ａ、１Ｂ、１Ｃ、１Ｄ、１Ｅ、１Ｆ  ホログラム
２  保護層
３Ｘ、３Ｙ  光学的回折層
４Ｘ、４Ｙ  光反射層
５  接着剤層
６Ｘ、６Ｙ  ホログラム層
１０  第１領域
１１  第１図柄
１３  第３図柄
２０  第２領域
２１  第２図柄
２４  第４図柄
２５  第５図柄
３０  偽造防止媒体
３１  基材
【図１】
2018165733.tif 000003
【図２】
2018165733.tif 000004
【図３】
2018165733.tif 000005
【図４】
2018165733.tif 000006
【図５】
2018165733.tif 000007
【図６】
2018165733.tif 000008
【図７】
2018165733.tif 000009